(57)【要約】【課題】従来の装置よりも構成を簡素化することができるとともに部品点数を減らすことが可能な位置調整固定装置を提供する。【解決手段】位置調整固定装置１は、部材を移動させて所定の位置に固定するための位置調整固定装置であって、軸部材１０と筒部材２０と回動部材３０とを備える。軸部材１０はネジ状外周面１１を有する。筒部材２０は、軸部材１０の周りに配置され、軸部材１０を挿通する穴を有する。回動部材３０は、軸部材１０のネジ状外周面１１に係止する係止爪３１を有し、係止爪３１が軸部材１０のネジ状外周面１１に係止するロック位置と軸部材１０のネジ状外周面１１から離れる解除位置との間で回動するように筒部材２０に取り付けられている。【選択図】図１
2007255683.tif 000002
【特許請求の範囲】
【請求項１】
部材を移動させて所定の位置に固定するための位置調整固定装置であって、
ネジ状または凹凸状に形成された外周面を有する軸部材と、
前記軸部材の周りに配置され、前記軸部材を挿通する穴を有する筒部材と、
前記軸部材の外周面に係止する係止爪を有し、この係止爪が前記軸部材の外周面に係止するロック位置と前記軸部材の外周面から離れる解除位置との間で回動するように前記筒部材に取り付けられた回動部材とを備えた、位置調整固定装置。
【請求項２】
前記回動部材は、前記回動部材の重量によって前記係止爪を前記ロック位置へ付勢するように配置されている、請求項１に記載の位置調整固定装置。
【請求項３】
前記筒部材と前記回動部材との間に配置された付勢部材をさらに備え、前記付勢部材は、前記係止爪を前記ロック位置へ常に付勢するように構成されている、請求項１に記載の位置調整固定装置。
【請求項４】
前記付勢部材は、前記回動部材の回動軸に取り付けられたねじりコイルバネである、請求項３に記載の位置調整固定装置。
【発明の詳細な説明】
【技術分野】
【０００１】
この発明は、一般的には位置調整固定装置に関し、特定的には椅子の所定の部材の高さ調整等に用いられる位置調整固定装置に関するものである。
【背景技術】
【０００２】
従来から、家具や電子・電気機器等の高さ調整を行うための高さ調整装置として、螺軸に対する螺合位置をワンタッチで切換えることが可能なものが、たとえば、特開２００５−１８０４７１号公報（特許文献１）に記載されている。
【特許文献１】特開２００５−１８０４７１号公報
【発明の開示】
【発明が解決しようとする課題】
【０００３】
しかしながら、従来の装置は、カム孔に係合するスライドピン等を用いて構成されるので、複雑な形状の部品を作製する必要がある。このため、装置の構成が複雑で部品点数が多くなるという問題がある。
【０００４】
この発明の目的は、従来の装置よりも構成を簡素化することができるとともに部品点数を減らすことが可能な位置調整固定装置を提供することである。
【課題を解決するための手段】
【０００５】
この発明に従った位置調整固定装置は、部材を移動させて所定の位置に固定するための位置調整固定装置であって、軸部材と、筒部材と、回動部材とを備える。軸部材は、ネジ状または凹凸状に形成された外周面を有する。筒部材は、軸部材の周りに配置され、軸部材を挿通する穴を有する。回動部材は、軸部材の外周面に係止する係止爪を有し、この係止爪が軸部材の外周面に係止するロック位置と軸部材の外周面から離れる解除位置との間で回動するように筒部材に取り付けられている。
【０００６】
このように構成されているので、筒部材に取り付けられた回動部材の係止爪を、軸部材のネジ状または凹凸状に形成された外周面から離れる解除位置に設定することにより、筒部材を軸部材に対して移動することができる。また、筒部材に取り付けられた回動部材の係止爪を、軸部材のネジ状または凹凸状に形成された外周面に係止させることによって、筒部材の位置を軸部材に対して固定することができる。係止爪は、軸部材のネジ状または凹凸状に形成された外周面に係止可能な形状に形成すればよいので、ナット等の締め付け部材を加工することによって作製することができる。
【０００７】
この発明の位置調整固定装置においては、回動部材は、回動部材の重量によって係止爪をロック位置へ付勢するように配置されていることが好ましい。
【０００８】
このように構成することにより、回動部材の重量を利用して鉛直方向に沿った位置の固定を行うことができる。
【０００９】
また、この発明の位置調整固定装置は、筒部材と回動部材との間に配置された付勢部材をさらに備え、付勢部材は、係止爪をロック位置へ常に付勢するように構成されていることが好ましい。
【００１０】
このように構成することにより、付勢部材によって、鉛直方向以外の方向に沿った位置の固定を行うことができる。
【００１１】
この場合、付勢部材は、回動部材の回動軸に取り付けられたねじりコイルバネであることが好ましい。
【発明の効果】
【００１２】
以上のように、この発明によれば、従来の装置よりも位置調整固定装置を簡素化することができるとともに部品点数を減らすことができる。
【発明を実施するための最良の形態】
【００１３】
この発明の一つの実施の形態を図１と図２に基づいて説明する。
【００１４】
図１は、この発明の一つの実施の形態として解除位置における位置調整固定装置を示す上面図（Ａ）と正面図（Ｂ）である。図２は、この発明の一つの実施の形態としてロック位置における位置調整固定装置を示す上面図（Ａ）と正面図（Ｂ）である。
【００１５】
図１と図２に示すように、部材を移動させて所定の位置に固定するための位置調整固定装置１は、軸部材１０と、筒部材２０と、回動部材３０とを備えている。
【００１６】
軸部材１０は、ネジ状または凹凸状に形成された外周面を有し、この実施の形態では、たとえば、ネジ状外周面１１を有する。軸部材１０の一方端には、装置取付金具の一例としてベースプレート１２が固着されている。ベースプレート１２には、本発明の位置調整固定装置１を椅子等の家具や機器に固定するために複数の取付穴１３が形成されている。
【００１７】
筒部材２０は、軸部材１０の周りに配置され、軸部材１０を挿通する穴を有する。この筒部材２０の内径は、軸部材１０の外径よりも大きくなるように形成されている。これにより、筒部材２０は軸部材１０に沿って移動可能である。筒部材２０の一方端には、軸受部材２１が固着されている。軸受部材２１には、回動軸２２が取り付けられている。筒部材２０の他方端には、筒部材２０とともに移動可能な他の部材を取り付けるための荷重受部材２３が固着されている。荷重受部材２３には、本発明の位置調整固定装置１によって移動させられる可動部材を取り付けるための複数の取付穴２４が形成されている。荷重受部材２３には、可動部材の荷重が加えられるように構成されている。
【００１８】
回動部材３０は、一方端に係止爪３１を有する。係止爪３１は、軸部材１０のネジ状外周面１１に係止することが可能な形状を有し、この実施の形態では、たとえば、ナットを半分に切断した形状を有する。このナットの内ネジ部が軸部材１０のネジ状外周面１１に係止することができる。また、回動部材３０の一方端には、回動軸２２が取り付けられた軸受部３２を有する。回動部材３０の他方端側ではレバー部３３が延在しており、レバー部３３の端部には取っ手部３４が取り付けられている。取っ手部３４には、固着部材として、たとえば、磁石３５が取り付けられている。このように構成されているので、図１に示すように、係止爪３１が軸部材１０のネジ状外周面１１から離れる解除位置を保持するために取っ手部３４が磁石３５によって筒部材２０の外周面に固着され、また図２に示すように、係止爪３１が軸部材１０のネジ状外周面１１に係止するロック位置で筒部材２０の下方向への移動がロックされる。図１に示す位置と図２に示す位置との間で、回動部材３０は回動軸２２の周りで回動することができる。
【００１９】
図３は、この発明の一つの実施の形態としての位置調整固定装置において下方向への移動がロックされる状態を示す正面図である。図４は、この発明の一つの実施の形態としての位置調整固定装置において上方向への移動が可能である状態を示す正面図である。
【００２０】
図３に示すように、係止爪３１が軸部材１０のネジ状外周面１１に係止するロック位置で筒部材２０の下方向への移動がロックされる。このとき、回動部材３０の重量に応じた重力Ｗが鉛直方向に働いているので、その重力Ｗに応じた圧力が軸部材１０のネジ状外周面１１に加えられる。これにより、荷重受部材２３が荷重Ｐの方向に移動することができない。
【００２１】
これに対して、図４に示すように、荷重受部材２３を矢印Ｑで示す上方向へ移動させると、筒部材２０は、軸部材１０に沿って移動しようとする。このとき、係止爪３１が軸部材１０のネジ状外周面１１から離れるように、回動部材３０は矢印Ｒで示す方向に回動するが、回動部材３０の重力Ｗに応じて軸部材１０のネジ状外周面１１に加えられる圧力に打ち勝つ力で、すなわち、摩擦力に打ち勝つ力で筒部材２０を軸部材１０に沿って矢印Ｑで示す上方向へ移動させることができる。
【００２２】
このように係止爪３１が軸部材１０のネジ状外周面１１に係止すると、筒部材２０を軸部材１０に対して上方向に移動させることができるが、下方向に移動させることができない。
【００２３】
図５は、この発明のもう一つの実施の形態としての位置調整固定装置において下方向への移動がロックされる状態を示す正面図である。図６は、この発明のもう一つの実施の形態としての位置調整固定装置において上方向への移動が可能である状態を示す正面図である。
【００２４】
図５に示すように、位置調整固定装置２は、図１〜図４に示される位置調整固定装置１と異なり、筒部材２０と回動部材３０との間に付勢部材としてねじりコイルばね４０が配置されている。ねじりコイルばね４０は、回動部材３０の回動軸２２に取り付けられ、係止爪３１をロック位置へ常に付勢するように構成されている。
【００２５】
このように構成されているので、係止爪３１が軸部材１０のネジ状外周面１１に係止するロック位置で、筒部材２０は下方向への移動だけでなく、水平方向への移動もロックされ得る。すなわち、回動部材３０の重量に応じた重力Ｗが鉛直方向に働いていなくても、ねじりコイルばね４０の付勢力に応じた圧力が軸部材１０のネジ状外周面１１に加えられる。これにより、荷重受部材２３が矢印Ｐの方向に移動することができない。
【００２６】
これに対して、図６に示すように、荷重受部材２３を矢印Ｑで示す方向に移動させると、筒部材２０は、軸部材１０に沿って移動しようとする。このとき、係止爪３１が軸部材１０のネジ状外周面１１から離れるように、回動部材３０は矢印Ｒで示す方向に回動するが、ねじりコイルばね４０の付勢力に応じて軸部材１０のネジ状外周面１１に加えられる圧力に打ち勝つ力で、すなわち、摩擦力に打ち勝つ力で筒部材２０を軸部材１０に沿って矢印Ｑで示す方向に移動させることができる。
【００２７】
このように係止爪３１が軸部材１０のネジ状外周面１１に係止すると、ねじりコイルばね４０の付勢力に対抗して筒部材２０を軸部材１０に対して矢印Ｑで示す方向へ移動させることができるが、矢印Ｐで示す方向に移動させることができない。この実施の形態の場合、ねじりコイルばね４０の付勢力を利用し、重力を利用しないので、位置調整固定装置２を、部材の鉛直方向への移動だけでなく、鉛直方向以外の方向への移動、たとえば、水平方向への移動にも適用することができる。
【００２８】
図７は、本発明の位置調整固定装置を適用することが可能な一つの例として、椅子を上から見て示す概略的な上面図（Ａ）、横から見て示す概略的な側面図（Ｂ）である。
【００２９】
図７に示すように、椅子１００は、座部１１０と背もたれ部１２０とを備えている。座部１１０の両側には、肘掛部１３０、１４０が取り付けられている。肘掛部１３０、１４０はスライド棒１５０、１６０に取り付けられている。スライド棒１５０、１６０の下端にはベースプレート１７０が取り付けられている。座部１１０は、圧縮コイルばね１８０の付勢力、またはその付勢力に対抗する力に応じて、スライド棒１５０、１６０に沿って上下移動する。本発明の位置調整固定装置１の筒部材２０、すなわち、荷重受部材２３は座部１１０の下部に取り付けられている。位置調整固定装置１の軸部材１０の下端にはベースプレート１７０が取り付けられている。したがって、座部１１０は、スライド棒１５０、１６０と位置調整固定装置１の軸部材１０に沿って、肘掛部１３０、１４０とベースプレート１７０との間で上下移動する。
【００３０】
図８は、図７に示される椅子において座部の下方向への移動がロックされる状態を示す側面図である。図９は、図７に示される椅子において上方向への移動が可能である状態を示す側面図である。
【００３１】
図７に示すように、回動部材３０が解除位置にあるとき、人が座部１１０の上に座ると、スライド棒１５０、１６０と軸部材１０とに沿って、矢印Ｐで示す方向に座部１１０が下方に移動する。このとき、圧縮コイルばね１８０の付勢力に対抗して、座部１１０に加えられた体重により、座部１１０が下方に移動する。人が座部１１０の上に座った状態で、図８に示すように、回動部材３０を矢印Ｌで示す方向に回動させ、ロック位置で係止爪３１を軸部材１０のネジ状外周面１１に係止させる。このロック状態は、回動部材３０の重力Ｗによって保持される。
【００３２】
次に、図９に示すように、人が立ち上がると、矢印Ｑで示す方向に座部１１０が上方に移動しようとする。荷重受部材２３も矢印Ｑで示す上方向に移動し、筒部材２０は、軸部材１０に沿って移動しようとする。このとき、係止爪３１が軸部材１０のネジ状外周面１１から離れるように、回動部材３０は矢印Ｒで示す方向に回動するが、回動部材３０の重力Ｗに応じて軸部材１０のネジ状外周面１１に加えられる圧力に打ち勝つ力で、すなわち、摩擦力に打ち勝つ力で筒部材２０を軸部材１０に沿って矢印Ｑで示す上方向へ移動させることができる。この場合、座部１１０は、上記の摩擦力に打ち勝つ圧縮コイルばね１８０の付勢力に応じて上昇しようとする。
【００３３】
しかし、この過程で人が肘掛部１３０、１４０を支えにして、座部１１０の上に座り直そうとすると、座部１１０に体重が再度加えられる。このとき、座部１１０は、その位置で、圧縮コイルばね１８０の付勢力に対抗して保持されるとともに、回動部材３０を矢印Ｌで示す方向に回動させ、ロック位置で係止爪３１を軸部材１０のネジ状外周面１１に係止させる。このロック状態は、回動部材３０の重力Ｗによって保持される。
【００３４】
このようにして、図７に示す座部１１０の位置で、老人等が、肘掛部１３０、１４０を支えにして、椅子１００に座り、その座った位置で図８に示すようにロックし、そのロック位置から、肘掛部１３０、１４０を支えにして立ち上がろうとして、滑って座部１１０の上に座り直しても、その位置で保持されるので、椅子１００を介護椅子として用いることができ、その安全性を高めることができる。
【００３５】
図１０は、本発明の位置調整固定装置を適用することが可能なもう一つの例として、棚を横から見て示す概略的な側面図である。
【００３６】
図１０に示すように、本発明の位置調整固定装置１の筒部材２０に、棚２００の支持台２１０を取り付ける。このようにすることにより、支持台２１０の上に物が載せられても、その重力Ｐで筒部材２０を移動させないようにロックすることができる。また、筒部材２０を矢印Ｐと反対の方向に移動させることにより、支持台２１０の位置を調整することができる。これにより、棚２００において、複数組の位置調整固定装置１と支持台２１０を設けて、各々の支持台２１０の位置、すなわち、陳列位置を変更することができる。
【００３７】
図１１は、本発明の位置調整固定装置を適用することが可能なさらに別の例として、その装置の解除位置における折り畳み椅子を横から見て示す概略的な側面図である。図１２は、本発明の位置調整固定装置を適用することが可能なさらに別の例として、その装置のロック位置における折り畳み椅子を横から見て示す概略的な側面図である。
【００３８】
図１１に示すように、本発明の位置調整固定装置１の筒部材２０に取り付けられた支持棒受部材３３０によって、折り畳み椅子３００の支持棒３２０が支持されている。位置調整固定装置１の軸部材１０の一方端と支持棒３２０の一方端には、回動軸３３１、３２１を介して座部３１０が取り付けられている。軸部材１０の他方端と支持棒３２０の他方端は、地面に接触している。回動部材３０は解除位置にあるので、位置調整固定装置１の筒部材２０は軸部材１０に沿って移動することができるので、その移動に従って支持棒受部材３３０に支持された支持棒３２０がスライド移動する。すなわち、軸部材１０と支持棒３２０とが交差する角度を変更することができるので、座部３１０の高さを変更することができる。
【００３９】
そして、図１２に示すように、座部３１０の高さを所定の位置に設定すると、位置調整固定装置１の回動部材３０をロック位置まで回動させる。このロック状態は、回動部材３０の重力Ｗによって保持される。このようにして、本発明の位置調整固定装置を用いて折り畳み椅子の高さ位置を調整し、かつ固定することができる。
【００４０】
なお、以上の実施の形態では、本発明の位置調整固定装置を椅子や棚の高さ等の調整機構に適用する場合の例について説明したが、高さ調整だけでなく、図５〜図６に示されるような位置調整固定装置を用いることにより、鉛直方向以外の位置調整、たとえば、水平方向の位置調整を行う必要がある器具や機器に本発明の位置調整固定装置を適用することができる。
【００４１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００４２】
【図１】この発明の一つの実施の形態として解除位置における位置調整固定装置を示す上面図（Ａ）と正面図（Ｂ）である。
【図２】この発明の一つの実施の形態としてロック位置における位置調整固定装置を示す上面図（Ａ）と正面図（Ｂ）である。
【図３】この発明の一つの実施の形態としての位置調整固定装置において下方向への移動がロックされる状態を示す正面図である。
【図４】この発明の一つの実施の形態としての位置調整固定装置において上方向への移動が可能である状態を示す正面図である。
【図５】この発明のもう一つの実施の形態としての位置調整固定装置において下方向への移動がロックされる状態を示す正面図である。
【図６】この発明のもう一つの実施の形態としての位置調整固定装置において上方向への移動が可能である状態を示す正面図である。
【図７】本発明の位置調整固定装置を適用することが可能な一つの例として、椅子を上から見て示す概略的な上面図（Ａ）、横から見て示す概略的な側面図（Ｂ）である。
【図８】図７に示される椅子において座部の下方向への移動がロックされる状態を示す側面図である。
【図９】図７に示される椅子において上方向への移動が可能である状態を示す側面図である。
【図１０】本発明の位置調整固定装置を適用することが可能なもう一つの例として、棚を横から見て示す概略的な側面図である。
【図１１】本発明の位置調整固定装置を適用することが可能なさらに別の例として、その装置の解除位置における折り畳み椅子を横から見て示す概略的な側面図である。
【図１２】本発明の位置調整固定装置を適用することが可能なさらに別の例として、その装置のロック位置における折り畳み椅子を横から見て示す概略的な側面図である。
【符号の説明】
【００４３】
１，２：位置調整固定装置、１０：軸部材、１１：ネジ状外周面、２０：筒部材、３０：回動部材、３１：係止爪、４０：ねじりコイルばね。
【図１】
2007255683.tif 000003
【図２】
2007255683.tif 000004
【図３】
2007255683.tif 000005
【図４】
2007255683.tif 000006
【図５】
2007255683.tif 000007
【図６】
2007255683.tif 000008
【図７】
2007255683.tif 000009
【図８】
2007255683.tif 000010
【図９】
2007255683.tif 000011
【図１０】
2007255683.tif 000012
【図１１】
2007255683.tif 000013
【図１２】
2007255683.tif 000014